(57)【要約】【課題】ロック機構付きのステー装置において、ロック機構の構造を簡略化し、作業員が楽な姿勢でロック機構の解除を遠隔操作で行なえるとともに、このリリース部材が浮動又は揺動して作業の邪魔となることがないようにする。【解決手段】第２アーム９が第１アーム６に対して伸展したとき、第１アーム６の基端側部分が対面する固定側ブラケット２の部分に錠止受部１０を設け、第１アーム６の基端側部分に第４枢軸１１によってストッパー１３を連結し、ストッパー１３と第１アーム６間に装着した弾性部材１４によって、錠止受部１０とストッパー１３の係合を維持する方向にストッパー１３を回転付勢し、筐体１の開口部縁面１５に沿ってリリース部材１７を回転自在に装着し、開口部縁面１５に対して起立操作させた駆動突起部１６によってストッパー１３を押圧し、錠止受部１０とストッパー１３との係合を解除する。【選択図】図１
2005083028.tif 000002
【特許請求の範囲】
【請求項１】
筐体１に固着される固定側ブラケット２と、扉３に固着される回動側ブラケット４と、固定側ブラケット２に基端部を第１枢軸５によって連結された第１アーム６と、回動側ブラケット４に基端部を第２枢軸７によって連結される一方、先端部を第３枢軸８によって第１アーム６の先端部に連結された第２アーム９とからなるステー装置において、第２アーム９が第１アーム６に対して伸展したとき、第１アーム６の基端側部分が対面する固定側ブラケット２の部分に錠止受部１０を設け、第１アーム６の基端側部分に第４枢軸１１によってストッパー１３を連結し、ストッパー１３と第１アーム６との間に装着した弾性部材１４によって、前記錠止受部１０との係合を維持する方向にストッパー１３を回転付勢したことを特徴とするロック機構付きステー装置。
【請求項２】
筐体１に固着される固定側ブラケット２と、扉３に固着される回動側ブラケット４と、固定側ブラケット２に基端部を第１枢軸５によって連結された第１アーム６と、回動側ブラケット４に基端部を第２枢軸７によって連結される一方、先端部を第３枢軸８によって第１アーム６の先端部に連結された第２アーム９とからなるステー装置において、第２アーム９が第１アーム６に対して伸展したとき、第１アーム６の基端側部分が対面する固定側ブラケット２の部分に錠止受部１０を設け、第１アーム６の基端側部分に第４枢軸１１によってストッパー１３を連結し、ストッパー１３と第１アーム６との間に装着した弾性部材１４によって、前記錠止受部１０との係合を維持する方向にストッパー１３を回転付勢し、筐体１の開口部縁面１５に沿って棒状のリリース部材１７を回転自在に装着し、開口部縁面１５に対して起立操作させた駆動突起部１６でストッパー１３を押圧して、前記錠止受部１０とストッパー１３との係合を解除するようにしたことを特徴とするロック機構付きステー装置。
【発明の詳細な説明】
【技術分野】
【０００１】
本発明は、本発明は、トラックの荷台コンテナーや電気機器収納キャビネット等の筐体において、ヒンジ軸を中心に所定角度まで全開した扉を当該開放位置に固定保持するロック機構を備えたステー装置に関するものである
【背景技術】
【０００２】
ステー装置は出入りや作業の障害とならないように扉の上部または下部に装着されているのであるが、ロック機構のリリースには、一方のアーム先端部に装着した十字板型のストッパーを直接指先で他方のアーム先端部のロック溝から離脱操作する必要があるため、ステー装置の設置位置によっては、背伸びして手を高く伸ばすか身を屈めて指先をストッパーにアクセスしなければならず、楽な姿勢でリリース操作を行なうことは困難である（特許文献１）。
【０００３】
この不便性を解消するために遠隔操作できるリリース手段を組み込んだステー装置も別途提案されている（例えば、特許文献２）。
【０００４】
この遠隔解除方式のステー装置では、ロック機構に付設したリリース手段に操作用ワイヤーを取付け、操作用ワイヤーの下端に指掛けリングを取付けたものである。作業員は特に背伸びをしたり、身を屈めたりすることなく、普通の立ち姿勢で指掛けリングを引き下げることによって、前記リリース手段を駆動することができる。
【０００５】
しかしながら、この遠隔解除方式のステー装置では、一方のアームの側面端部にシリンダーを直角に固着し、他方のアームの端部のロック孔に係合するストッパーを前記シリンダーに嵌挿し、該ストッパーの基端軸部に圧縮コイルバネを嵌合し、前記シリンダーの閉鎖端部より突出した前記軸部にカム板を枢着し、該カム板に操作用ワイヤーを連結したものであるから、リリース手段の構成が比較的複雑であり、部品点数が多いため製作コストが嵩むという難点がある。
【０００６】
また、この遠隔解除方式のステー装置では、指掛けリング付きの操作用ワイヤーが浮動したり、揺動することによって、筐体の開口部の主体側に移動することがあり、作業員の出入りや機器の搬出入の作業の邪魔になることがある。
また、開口部の主体側に移動しなくても、搬出入中の機器や作業員の体の一部が操作用ワイヤーに引っ掛かることがある。
【０００７】
【特許文献１】実公昭５５−１０５３２号公報
【特許文献２】特許第２８８９２３０号公報
【発明の開示】
【発明が解決しようとする課題】
【０００８】
解決しようとする問題点は、ロック機構関連部分の構成を簡略化して、安価な製作を可能にする点である。
また、解決しようとする別の問題点は、ロック機構の解除を普通の楽な立ち姿勢で遠隔操作できるようにするとともに、リリース部材が作業員の出入りや機器の搬出入の作業等の障害とならないようにする点である。
【課題を解決するための手段】
【０００９】
請求項１の発明は、第２アーム９が第１アーム６に対して伸展したとき、第１アーム６の基端側部分が対面する固定側ブラケット２の部分に錠止受部１０を設け、第１アーム６の基端側部分に第４枢軸１１によってストッパー１３を連結し、ストッパー１３と第１アーム６との間に装着した弾性部材１４によって、前記錠止受部１０との係合を維持する方向にストッパー１３を回転付勢したことを主要な特徴とする。
【００１０】
請求項２の発明は、第２アーム９が第１アーム６に対して伸展したとき、第１アーム６の基端側部分が対面する固定側ブラケット２の部分に錠止受部１０を設け、第１アーム６の基端側部分に第４枢軸１１によってストッパー１３を連結し、ストッパー１３と第１アーム６との間に装着した弾性部材１４によって、前記錠止受部１０との係合を維持する方向にストッパー１３を回転付勢し、筐体１の開口部縁面１５に沿って棒状のリリース部材１７を回転自在に装着し、開口部縁面１５に対して起立操作させた駆動突起部１６でストッパー１３を押圧して、前記錠止受部１０とストッパー１３との係合を解除することを主要な特徴とする。
【発明の効果】
【００１１】
請求項１の発明では、ロック機構は固定側ブラケット２それ自体にに設けた錠止受部１０と、第1アーム６に第4枢軸１で連結したストッパー１３と、第1アーム６とストッパー13間に装着した弾性部材１４のみによって構成されているため、前記した従来装置と比較してロック機構部分の構造が簡略化され、部品点数が減少しており、製作組立のコストを節減することができる。
【００１２】
請求項２の発明では、筐体１の開口部縁面１５に沿って回転自在に装着した棒状のリリース部材１７によって、ロック機構すなわちストッパー１３と固定側ブラケット２の錠止受部１０との係合を解除するようにしたので、棒状リリース部材１７の長さを適宜選択することによって、無理に背伸びしたり身を屈めたりする必要なしに、普通の楽な立ち姿勢のもとにロック機構の解除遠隔操作によって行なうことができる。
【００１３】
また、棒状のリリース部材１７は筐体１の開口部縁面１５から浮動したり揺動して開口部の主体側に移動することがなく、解除操作時にストッパー１３を押圧するために駆動突起部１６が開口部縁面１５から斜めに起立するだけであるから、作業員が筐体１内に出入りしたり、機器を搬出入する作業等に対して、作業員の身体や機器の一部が接触して障害物となることがない。
【発明を実施するための最良の形態】
【００１４】
ステー装置のロック機構を最小の部品点数で安価に構成し、当該ロック機構を楽な立ち姿勢で遠隔操作するという目的を、出入りや作業の障害を招かないように実現した。
【実施例１】
【００１５】
図１から図７は本発明のロック機構付きステー装置の１実施例を示すものであり、図１は該ステー装置の正面図である。
このステー装置は一般的な基本構成として、筐体１に固着される固定側ブラケット２と、扉３に固着される回動側ブラケット４と、固定側ブラケット２に基端部を第１枢軸５によって連結された第１アーム６と、回動側ブラケット４に基端部を第２枢軸７によって連結される一方、先端部を第３枢軸８によって第１アーム６の先端部に連結された第２アーム９とを有する。
本実施例では、ステー装置は扉３の上部と下部の２箇所に設置されている。ステー装置の設置箇所は、筐体１の使用目的等に応じて扉３の上部または下部の１箇所だけでもよい。
【００１６】
固定側ブラケット２は、２枚のＬ字型に屈曲加工した金属板からなるものであり、当該金属板の各水平片２ｂは背中合わせに接合ピン３０によって緊密に一体化されている。筐体１の上部側においては、当該金属板の垂直片２ａが補助部材１９にビスで締付け固着され、この補助部材１９がビスで筐体１の開口部縁面１５に締付け固着されている。筐体１の下部側においては、前記金属板の垂直片２ａが補助部材２０にビスで締付け固着され、この補助部材２０がビスで筐体１の開口部縁面１５に締付け固着されている。
【００１７】
回動側ブラケット４は１枚のＬ字型に屈曲加工した金属板からなり、扉３の上部側おいては、当該金属板の垂直片４ａを下側に向けて扉３に対してビスで直接に締付け固着されている。扉３の下部側においては、前記金属板の垂直片４ａを上側に向けて扉３に対してビスで直接に締付け固着されている。
【００１８】
第１アーム６は２枚の細長い金属板で構成され、両金属板の基端部の間に固定側ブラケット２の前記２枚の金属板の水平片２ｂが挟み込まれており、当該水平片２ｂの奥側端部において垂直な第１枢軸５より連結されている。
第２アーム９は一枚の細長い金属板で構成され、扉３の上部側においては、図２に示したように第２アーム９の基端部は回動側ブラケット４の前記水平片４ｂの下面側に添接され、該水平片４ｂの中央部において垂直な第２枢軸７で連結されている。扉３の下部側においては、第２アーム９の基端部は回動側ブラケット４の前記水平片４ｂの上面側に添接され、該水平片４ｂの中央部において垂直な第２枢軸７で連結されている。
【００１９】
第２アーム９の先端部は第１アーム６の２枚の金属板の間に挟み込まれ、垂直な第３枢軸８で連結されている。扉３が垂直なヒンジ軸１２を中心に開閉回転するとき、第２アーム９は第１アーム６の２枚の金属板間の空間内に出し入れされる。
固定側ブラケット２に設けられる錠止受部１０は、前記金属板の水平片２ｂの前端部に形成されている。
【００２０】
ストッパー１３は一枚の金属板によって構成され、第１アーム６の２枚の金属板の基端部間に挟み込まれた状態で垂直な第４枢軸１１によって基端部を第１ストッパー６に連結されている。ストッパー１３は、先端部にて前記錠止受部１０に係合する。
図３に示したようにストッパー１３の中間部には、第４枢軸１１を中心とする円弧状スロット２１が形成されており、当該スロット２１には圧縮コイルバネよりなる弾性部材１４が収容されている。第１アーム６に直角に差込み固着したバネ受けピン２２は前記スロット２１に挿入されており、弾性部材１４の一端がバネ受けピン２２の側面に当接している。弾性部材１４の他端は、バネ受けピン２２から遠い方の前記スロット２１の内端面に当接している。
【００２１】
弾性部材１４が前記のように配置されているため、図３においてストッパー１３は第４枢軸１１を中心として時計回り方向に回転付勢されており、図７に示したような過程を経て、第１アーム６と第２アーム９が図１および図２に示したように一直線上に伸展し、扉３が筐体１に対して所定の９０度位置まで全開したとき、ストッパー１３の先端部は錠止受部１０に自動的に係合し、かつ、この係合状態が的確に維持される。
【００２２】
棒状のリリース部材１７は筐体１の高さ方向に沿って配置され、上下各端部が直角に屈曲加工されて上下２個の駆動突起部１６が形成されている。筐体１の開口部縁面１５には３個のガイド部材２３がビスによって締付け固着されており、リリース部材１７は各ガイド部材２３の垂直なガイド孔２４に嵌挿され、開口部縁面１５から浮動したり揺動しないように動きを規制されている。
【００２３】
リリース部材１７の駆動突起部１６は、ストッパー１３の基端部の背面側に配置されており、定常状態では開口部縁面１５に沿って倒伏している。三つのガイド部材２３のどれか一つの基端部下面には、リリース部材１７に差込み固着した位置決めピン２５が当接している。
【００２４】
棒状のリリース部材１７の適当な高さのところには、金属板よりなる操作レバー２６が嵌合され、ビスで締付け固着されている。リリース部材１７に嵌合され、操作レバー２６の中間切欠部２７に収容された捻りコイルバネ２８は、一方の直線端部２８ａが操作レバー２６の前面側に当接している。捻りコイルバネ２８の他方の直線端部２８ｂは、筐体１の開口部縁面１５に当接している。
そのため、図４に実線で示したように操作レバー２６は開口部縁面１５と平行に倒伏された位置に保持されており、作業員の出入りや機器の搬出入作業などの障害物となることがない。
【００２５】
ロック機構を解除するときには、図４に鎖線で示したように作業員が操作レバー２６を手前に引き出し回転させる。これによってリリース部材１７がガイド孔２４を中心に回転し、駆動突起部１６が斜めに起立するため、駆動突起部１６によって基端部背面を押圧されたストッパー１３は、図３に鎖線で示したように弾性材１４の回転付勢に抗して反時計回り方向に回転し、ストッパー１３の先端部が錠止受部１０から離脱する。
操作レバー２６の背面側に固着したクッション部材２９が筐体１の開口部縁面１５に当接したとき、操作レバー２６は、指掛け用の若干の隙間を残して開口部縁面１５と平行に配置されている。
【００２６】
実施例１では、上部と下部の2箇所に設置したステー装置の適用事例では、片手で1個の操作レバー２６を回すことによって2箇所のロック機構が同時に解除されるため、操作性に優れている。
【図面の簡単な説明】
【００２７】
【図１】本発明の実施例１に係るロック機構付きステー装置の扉開放時の正面図である。
【図２】図１のステー装置の扉開放時の平面図である。
【図３】図１のＡ−Ａ線拡大断面図である。
【図４】図１のＢ−Ｂ線断面図である。
【図５】図１のＣ−Ｃ線断面図である。
【図６】図１のＤ−Ｄ線断面図である。
【図７】ストッパーが錠止受部に接近する過程を示した動作図である。
【符号の説明】
【００２８】
１  筐体
２  固定側ブラケット
３  扉
４  回動側ブラケット
５  第１枢軸
６  第１アーム
７  第２枢軸
８  第３枢軸
９  第２アーム
１０  錠止受部
１１  第４枢軸
１２  ヒンジ軸
１３  ストッパー
１４  弾性部材
１５  筐体の開口部縁面
１６  駆動突起部
１７  リリース部材
【図１】
2005083028.tif 000003
【図２】
2005083028.tif 000004
【図３】
2005083028.tif 000005
【図４】
2005083028.tif 000006
【図５】
2005083028.tif 000007
【図６】
2005083028.tif 000008
【図７】
2005083028.tif 000009